(57)【要約】【課題】店外飲食で飲食料品を購入した客が店内で着席して飲食することを抑制可能とする。【解決手段】ＰＯＳ端末１１は、店舗内での飲食と持ち帰りとが選択可能な商品について、客の注文を受け付けて精算を行う。テーブル端末１２は、店舗内に設置されたテーブルに対応して配置されており、テーブルの使用の可否を判定し、その結果を出力する。ＰＯＳ端末１１は、客が店舗内での飲食を選択した場合、店内での飲食の可否の判定に用いる情報を含むコードをレシート２０に印字して出力する。テーブル端末１２は読取装置１３を含む。読取装置１３は、レシート２０に印字されたコードを読み取る。テーブル端末１２は、読取装置１３がレシート２０に印字されたコードを読み取った場合、店内での飲食の可否の判定に用いる情報に基づいてテーブル使用が可能であるか否かを判定する。【選択図】図１
2020187565.tif 000002
【特許請求の範囲】
【請求項１】
店舗内での飲食と持ち帰りとが選択可能な商品について、客の注文を受け付けて精算を行うＰＯＳ端末と、
店舗内に設置されたテーブルに配置されているテーブル端末とを備え、
前記ＰＯＳ端末は、客が店舗内での飲食を選択した場合、店内での飲食の可否の判定に用いる情報を含むコードをレシートに印刷して出力し、
前記テーブル端末は、前記コードを読み取る読取装置を含み、該読取装置が前記コードを読み取り、
前記ＰＯＳ端末又は前記テーブル端末が、前記コードに含まれる店内での飲食の可否の判定に用いる情報に基づいて、前記テーブルの使用の可否を判定するＰＯＳシステム。
【請求項２】
前記テーブル端末は、前記テーブルに対応して配置された表示器を更に含み、前記テーブルの使用が可能であると判定された場合、前記表示器を点灯する請求項１に記載のＰＯＳシステム。
【請求項３】
前記テーブル端末は、客がテーブルの使用の終了を入力した場合、前記表示器を消灯する請求項２に記載のＰＯＳシステム。
【請求項４】
前記コードは、２次元バーコードを用いて作成される請求項１から３何れか１項に記載のＰＯＳシステム。
【請求項５】
前記ＰＯＳ端末又は前記テーブル端末は、前記コードが読み取られた時刻と、前記レシートの発行時刻との差が、所定時間以内の場合、前記テーブルの使用が可能と判定する請求項１から４何れか１項に記載のＰＯＳシステム。
【請求項６】
前記ＰＯＳ端末は、客が店舗内での飲食を選択した場合と、客が持ち帰りを選択した場合とで、異なる税率で消費税を計算する請求項１から５何れか１項に記載のＰＯＳシステム。
【請求項７】
店舗内での飲食と持ち帰りとが選択可能な商品について、客の注文を受け付けて精算を行う電子レジスタと、
客が店舗内での飲食を選択した場合、店内での飲食の可否の判定に用いる情報を含むコードをレシートに印刷して出力するプリンタとを備えるＰＯＳ端末。
【請求項８】
店舗内に設置されたテーブルに配置され、
店舗内での飲食と持ち帰りとが選択可能な商品について、客が店舗内での飲食を選択した場合に発行された、店内での飲食の可否の判定に用いる情報を含むコードが印刷されたレシートを読み取る読取装置と、
前記読取装置で前記コードが読み取られた場合、前記店内での飲食の可否の判定に用いる情報に基づいてテーブルの使用の可否を判定する制御装置とを備えるテーブル端末。
【請求項９】
店舗内での飲食と持ち帰りとが選択可能な商品について、客が店舗内での飲食を選択した場合に発行された、店内での飲食の可否の判定に用いる情報を含むコードが印刷されたレシートを読み取り、
前記コードが読み取られた場合、前記店内での飲食の可否の判定に用いる情報に基づいてテーブルの使用の可否を判定し、該判定の結果を出力するテーブル使用可能判定方法。
【請求項１０】
店舗内での飲食と持ち帰りとが選択可能な商品について、客が店舗内での飲食を選択した場合に発行された、店内での飲食の可否の判定に用いる情報を含むコードが印刷されたレシートを読み取り、
前記コードが読み取られた場合、前記店内での飲食の可否の判定に用いる情報に基づいてテーブルの使用の可否を判定し、該判定の結果を出力する処理をコンピュータに実行させるためのプログラム。
【発明の詳細な説明】
【技術分野】
【０００１】
本開示は、ＰＯＳ（Point of sale）システム、ＰＯＳ端末、テーブル端末、テーブル使用可能判定方法、及びプログラムに関する。
【背景技術】
【０００２】
消費税では、軽減税率制度が導入される予定である。軽減税率制度では、飲食料品について、店内飲食の場合は軽減税率が適用されないのに対し、店外飲食の場合は軽減税率が適用される。このため、客が同じ飲食料品を購入した場合でも、店外飲食であるか、店内飲食であるかで、税額が異なる。例えば、店外飲食の予定で飲食料品を購入した客が店内で飲食した場合、店員が客に対応する必要が生じる。また、店外飲食であるとして購入された飲食料品が店内で飲食された場合、店内飲食であるとして飲食料品を購入した客が席を使用できなくなる可能性がある。
【０００３】
ここで、特許文献１は、飲食店において客が商品（調理メニュー）に対応する食券を購入するために設置される券売機を開示する。客は、券売機に設けられたタッチパネルを操作し、発券する商品を選択する。その際、客は、商品を店内で飲食せずに持ち帰る場合は、商品が持ち帰り商品であることを宣言するためのテイクアウトボタンを押す。券売機は、テイクアウトボタンが押された場合は、選択された商品の食券を発行すると共に、消費期限や原材料などが記載されたラベルを自動的に発行する。店員は、自動発行されたラベルを商品に貼付し、商品を客に手渡す。
【先行技術文献】
【特許文献】
【０００４】
【特許文献１】特開２０１５−１１１３９０号公報
【発明の概要】
【発明が解決しようとする課題】
【０００５】
特許文献１では、客がテイクアウトボタンを押した場合、商品に貼付されるラベルが自動的に発行され、店員は、自動発行されたラベルを商品に貼付する。このようにすることで、店員が商品にラベルを貼付せずに商品を客に手渡すことを防止できる。しかしながら、特許文献１では、ラベルを商品に貼付し忘れることは防止できても、テイクアウトを宣言して商品を購入した客が、店内で着席して飲食することを防止することはできない。
【０００６】
本開示は、上記事情に鑑み、店外飲食で飲食料品を購入した客が店内で着席して飲食することを抑制できるＰＯＳシステム、ＰＯＳ端末、テーブル端末、テーブル使用可能判定方法、及びプログラムを提供することを目的とする。
【課題を解決するための手段】
【０００７】
上記目的を達成するために、本開示は、店舗内での飲食と持ち帰りとが選択可能な商品について、客の注文を受け付けて精算を行うＰＯＳ端末と、店舗内に設置されたテーブルに配置されているテーブル端末とを備え、前記ＰＯＳ端末は、客が店舗内での飲食を選択した場合、店内での飲食の可否の判定に用いる情報を含むコードをレシートに印刷して出力し、前記テーブル端末は、前記コードを読み取る読取装置を含み、該読取装置が前記コードを読み取り、前記ＰＯＳ端末又は前記テーブル端末が、前記コードに含まれる店内での飲食の可否の判定に用いる情報に基づいて、前記テーブルの使用の可否を判定するＰＯＳシステムを提供する。
【０００８】
本開示は、店舗内での飲食と持ち帰りとが選択可能な商品について、客の注文を受け付けて精算を行う電子レジスタと、客が店舗内での飲食を選択した場合、店内での飲食の可否の判定に用いる情報を含むコードをレシートに印刷して出力するプリンタとを備えるＰＯＳ端末を提供する。
【０００９】
本開示は、店舗内に設置されたテーブルに配置され、店舗内での飲食と持ち帰りとが選択可能な商品について、客が店舗内での飲食を選択した場合に発行された、店内での飲食の可否の判定に用いる情報を含むコードが印刷されたレシートを読み取る読取装置と、前記読取装置で前記コードが読み取られた場合、前記店内での飲食の可否の判定に用いる情報に基づいてテーブルの使用の可否を判定する制御装置とを備えるテーブル端末を提供する。
【００１０】
本開示は、店舗内での飲食と持ち帰りとが選択可能な商品について、客が店舗内での飲食を選択した場合に発行された、店内での飲食の可否の判定に用いる情報を含むコードが印刷されたレシートを読み取り、前記コードが読み取られた場合、前記店内での飲食の可否の判定に用いる情報に基づいてテーブルの使用の可否を判定し、該判定の結果を出力するテーブル使用可能判定方法を提供する。
【００１１】
本開示は、店舗内での飲食と持ち帰りとが選択可能な商品について、客が店舗内での飲食を選択した場合に発行された、店内での飲食の可否の判定に用いる情報を含むコードが印刷されたレシートを読み取り、前記コードが読み取られた場合、前記店内での飲食の可否の判定に用いる情報に基づいてテーブルの使用の可否を判定し、該判定の結果を出力する処理をコンピュータに実行させるためのプログラムを提供する。
【発明の効果】
【００１２】
本開示に係るＰＯＳシステム、ＰＯＳ端末、テーブル端末、テーブル使用可能判定方法、及びプログラムは、店外飲食で飲食料品を購入した客が店内で着席して飲食することを抑制することができる。
【図面の簡単な説明】
【００１３】
【図１】本開示に係るＰＯＳシステムの概略的な構成を示すブロック図。
【図２】本開示の第１実施形態に係るＰＯＳシステムを示すブロック図。
【図３】ＰＯＳシステムにおいて用いられるレシートの具体例を示す図。
【図４】ＰＯＳシステムにおける処理の流れを示すシーケンス図。
【発明を実施するための形態】
【００１４】
本開示の実施の形態の説明に先立って、本開示の概要を説明する。図１は、本開示に係るＰＯＳシステムの概略的な構成を示す。ＰＯＳシステム１０は、ＰＯＳ端末１１、及びテーブル端末１２を有する。テーブル端末１２は、読取装置１３を含む。
【００１５】
ＰＯＳ端末１１は、店舗内での飲食と持ち帰りとが選択可能な商品について、客の注文を受け付けて精算を行う。ＰＯＳ端末１１は、客が店舗内での飲食を選択した場合、店内での飲食の可否の判定に用いる情報を含むコードをレシート２０に印刷して出力する。
【００１６】
読取装置１３は、レシート２０に印刷されたコードを読み取る。テーブル端末１２は、店舗内に設置されたテーブルに配置されている。テーブル端末１２は、店内での飲食の可否、すなわち配置されているテーブルの使用の可否を判定し、その結果を出力する。テーブル端末１２は、読取装置１３が、店内での飲食の可否の判定に用いる情報を含むコードを読み取った場合、店内での飲食の可否、すなわち配置されているテーブルの使用の可否を判定する。
【００１７】
本開示では、ＰＯＳ端末１１は、商品を店舗内で購入する客に対して、店舗内での飲食の可否の判定に用いる情報を含むコードをレシート２０に印刷する。テーブル端末１２は、レシート２０を読み取り、店舗内での飲食の可否の判定に用いる情報を含むコードが印刷されていた場合、このコードを用いてテーブル使用が可能であるか否かを判定する。このようにすることで、店舗内での飲食を選択した客は、店舗内のテーブルを使用して飲食することが可能である。
【００１８】
一方、客が商品の持ち帰りを選択した場合、ＰＯＳ端末１１は、店舗内での飲食の可否の判定に用いる情報を含むコードをレシート２０に印刷しない。この場合、テーブル端末１２は、テーブル使用が可能ではないと判定する。このようにすることで、店内飲食を選択した客のテーブル使用を可能にしつつ、商品の持ち帰りを選択した客が店内で着席して飲食することを抑制することができる。
【００１９】
以下、図面を参照しつつ、本開示の実施の形態を詳細に説明する。図２は、本開示の第１実施形態に係るＰＯＳシステムを示す。ＰＯＳシステム１００は、ＰＯＳ端末１０１、及びテーブル端末１０２を有する。ＰＯＳシステム１００は、図１のＰＯＳシステム１０に対応する。
【００２０】
ＰＯＳ端末１０１は、例えばレジカウンタに配置される。テーブル端末１０２は、例えば店舗内のテーブル又は座席に対応して配置される。ＰＯＳ端末１０１は図１のＰＯＳ端末１１に対応し、テーブル端末１０２は図１のテーブル端末１２に対応する。なお、図１ではテーブル端末１０２が１つ図示されているが、ＰＯＳシステム１００は、複数のテーブル端末１０２を有していてもよい。
【００２１】
ＰＯＳ端末１０１は、電子レジスタ１１１、及びプリンタ１１２を有する。客は、飲食が可能な商品を販売する店に来店後、購入する商品を選択し、レジカウンタで会計を行う。電子レジスタ１１１は、客が商品を購入する場合に、その売上げを記録する。客は、商品の購入に際して、購入した商品を店内で飲食するか、又は持ち帰るかを店員に伝える。店員は、電子レジスタ１１１に、店内飲食、又は持ち帰りを設定する。電子レジスタ１１１は、店内飲食、又は持ち帰りに応じた消費税率で、会計処理を行う。電子レジスタ１１１は、例えばプロセッサ及びメモリを含み、プロセッサがメモリから読み出したプログラムに従って動作することで、各種処理を実行する。
【００２２】
プリンタ１１２は、レシート１０３を発行する。電子レジスタ１１１は、客が会計を済ませると、プリンタ１１２に、会計処理の内容と、店内飲食が可能であるか否かを判定するためのコードとを含むレシート１０３を発行させる。電子レジスタ１１１は、客が店内飲食を選択した場合、店舗内での飲食の可否の判定に用いる情報を含むコードをレシート１０３に印刷させる。電子レジスタ１１１は、客が商品を持ち帰る場合は、プリンタ１１２に、会計処理の内容を含み、店舗内での飲食の可否の判定に用いる情報を含むコードを含まないレシート１０３を発行させる。
【００２３】
図３は、店内飲食に関するコードが印刷されたレシートの具体例を示す。レシートには、通常の会計処理の内容に加えて、コードが印刷される。コードは、少なくとも会計処理日時を含む。コードは、店内飲食を示す識別子を含むようにしてもよい。コードは、例えば２次元バーコードを用いて作成される。２次元バーコードに店内飲食を示す識別子が含まれる場合には、レシートに印刷された２次元バーコードを所定の規則でデコードすることで、会計処理日時と、店内飲食を示す識別子とが得られる。店内飲食を示す識別子には、有効期間が設定されていてもよい。有効期間は、例えばレシートの発行から３０分以内などの時間に設定される。なお、コードは１次元バーコードを用いて作成されてもよい。
【００２４】
図２に戻り、テーブル端末１０２は、読取装置１２１、制御装置１２２、時計１２３、タイマ１２４、表示器１２５、及び終了ボタン１２６を有する。読取装置１２１は、レシートに印刷された店舗内での飲食の可否の判定に用いる情報を含むコードを読み取る。読取装置１２１は、例えばレシート１０３に印刷された２次元バーコードの画像情報を取得する。読取装置１２１は、例えば店舗内に設置されたテーブル（座席）に対応して配置される。読取装置１２１は、図１の読取装置１３に対応する。
【００２５】
制御装置１２２は、２次元バーコードをデコードし、少なくとも会計処理日時を含むか否かを判断する。制御装置１２２は、少なくとも会計処理日時を含むと判断した場合、店内での飲食が可能であるか否か、すなわち、テーブルの使用が可能であるか否かを判定する。制御装置１２２は、例えばプロセッサ及びメモリを含み、プロセッサがメモリから読み出したプログラムに従って動作することで、各種処理を実行する。
【００２６】
制御装置１２２は、時計を参照し、２次元バーコードが読み取られた時刻（現在時刻）を取得する。制御装置１２２は、２次元バーコードが読み取られた時刻と、会計処理日時、すなわち、レシート１０３の発行時刻との差が、所定時間以内であるか否かを判断する。制御装置１２２は、予め、所定時間を記憶しているが、前述したように、２次元バーコードから取得するようにしてもよい。制御装置１２２は、時刻の差が所定時間以内である場合、テーブル使用が可能と判定する。制御装置１２２は、時刻の差が所定時間より大きい場合、テーブル使用が不可と判定する。このようにすることによって、客のテーブル使用に対して有効期間を設けることができる。
【００２７】
表示器１２５は、テーブルに対応して配置される。表示器１２５は、テーブルが利用中であるかどうかを示す。制御装置１２２は、テーブル使用が可能と判定した場合、表示器１２５を点灯する。表示器１２５が点灯することで、店員は、テーブルを利用する客が店内飲食で商品を購入した客であることを、容易に知ることができる。店員は、表示器１２５が点灯していないテーブルを客が利用している場合、その客は、持ち帰りで商品を購入した客であると判別できる。
【００２８】
終了ボタン１２６は、例えば、物理的なボタン、又はタッチパネル上に表示されるボタンとして構成される。客は、テーブルの使用後、終了ボタン１２６を押すことで、テーブル使用の終了を制御装置１２２に入力する。制御装置１２２は、客が終了ボタン１２６を押した場合、表示器１２５を消灯する。制御装置１２２は、客がテーブルの使用を開始した後、タイマ１２４を用いて、会計処理日時の時刻からの経過時間を監視してもよい。制御装置１２２は、表示器１２５の点灯後、所定時間の経過後に、表示器１２５を消灯してもよい。その場合、客が終了ボタン１２６を押し忘れた場合でも、表示器１２５が点灯し続けることを防止できる。
【００２９】
図４は、ＰＯＳシステムにおける動作手順（レシート発行方法、及びテーブル使用可能判定方法）を示す。客は、飲食店に来店後、購入する商品を選択する（ステップＳ１１）。客は、レジカウンタで、購入する商品の会計処理を行う。その際、客は、購入した商品を店内で飲食することを店員に伝える（ステップＳ１３）。客は、商品を持ち帰る場合は、その旨を店員に伝える。
【００３０】
レジカウンタの店員は、客が店内飲食を希望する場合は、電子レジスタ１１１に店内飲食の設定を行う（ステップＳ１３）。店員は、電子レジスタ１１１を用いて会計処理を行う（ステップＳ１４）。会計処理では、ステップＳ１３で店内飲食が設定されている場合は、消費税率を通常の１０％として消費税額を計算する。客が商品を持ち帰る場合、電子レジスタ１１１は、消費税率を軽減税率である８％でとして消費税額を計算する。プリンタ１１２は、会計処理の結果をレシート１０３に印刷する（ステップＳ１５）。プリンタ１１２は、ステップＳ１５では、例えば、少なくとも会計処理日時を含む２次元バーコードをレシート１０３に印刷する。
【００３１】
客は、店員からレシート１０３を受領する（ステップＳ１６）。客は、店内で飲食するために店舗内の座席（テーブル）に移動する（ステップＳ１７）。客は、座席への移動後、座席に置かれた読取装置１２１にレシート１０３を提示する（ステップＳ１８）。読取装置１２１は、レシート１０３に印刷された２次元バーコード（識別情報）を読み取る（ステップＳ１９）。
【００３２】
制御装置１２２は、２次元バーコードに、会計処理日時が含まれるか否かを判断する（ステップＳ２０）。制御装置１２２は、２次元バーコードに会計処理日時が含まれると判断した場合、時計１２３を参照し、会計処理日時と現在時刻との差が所定時間内であるか否かを判断する（ステップＳ２１）。制御装置１２２は、２次元バーコードに会計処理日時が含まれ、かつ会計処理日時と現在時刻との差が所定時間以内、例えば３０分以内の場合、テーブル（座席）の利用が可能であると判定する。
【００３３】
制御装置１２２は、座席の利用が可能と判定した場合、座席が利用中であることを示すための表示器１２５を点灯する（ステップＳ２２）。また、制御装置１２２は、タイマ１２４を用いて、会計処理日時の時刻からの経過時間を監視する（ステップＳ２３）。客は、テーブルを利用して、購入した商品を飲食する。客は、飲食を終了した後、終了ボタン１２６を押す（ステップＳ２４）。制御装置１２２は、終了ボタン１２６が押された場合、点灯していた表示器１２５を消灯する（ステップＳ２４）。制御装置１２２は、終了ボタン１２６が押されない場合でも、会計処理日時の時刻からの経過時間が所定時間（例えば４５分）を過ぎれば、点灯していた表示器１２５を消灯する。なお、座席利用の経過時間の監視は、会計処理日時の時刻を開始時刻とするのではなく、客が座席の利用を開始した時刻としてもよい。すなわち、座席利用の経過時間の監視は、読取装置１２１が、レシート１０３に印刷された２次元バーコードを読み取った時刻を開始時刻としてもよい。
【００３４】
本実施形態では、ＰＯＳ端末１０１は、購入した商品の店内飲食を希望する客に対して、店舗内での飲食の可否の判定に用いる情報を含む２次元バーコードが印刷されたレシート１０３を発行する。客は、テーブル端末１０２の読取装置１２１に２次元バーコードを読み取らせる。制御装置１２２は、２次元バーコードが含む情報が、店内飲食を許容する情報である場合、表示器１２５を点灯させる。店員は、表示器１２５の点灯状態を確認することで、テーブルで飲食する客が店内飲食で商品を購入した客であるか、又は持ち帰りで商品を購入した客であるかを、目視で判断可能である。このため、商品を持ち帰りで購入した客が、店舗内のテーブルを利用して飲食することを抑止できる効果が期待できる。また、電子レジスタ１１１において、店内飲食か持ち帰りかに応じた税率で消費税額を計算するのに連動させて２次元バーコードが印刷されたレシートを発行することで、電子レジスタ１１１の操作手数を削減することができる。
【００３５】
次いで、本開示の第２実施形態を説明する。本実施形態に係るＰＯＳシステムの構成は、図２に示される第１実施形態に係るＰＯＳシステム１００と同様である。本実施形態に係るＰＯＳシステムにおいて、ＰＯＳ端末１０１とテーブル端末１０２とは、有線又は無線で通信可能である。本実施形態において、店内飲食の場合にレシート１０３に印刷されるコードは、会計処理日時の情報は含まず、レシートを識別する情報、すなわち、どの会計処理であるかを識別する情報を含む。レシートを識別する情報には、例えばレシート番号が用いられる。コードは２次元バーコードであってもよいし、１次元バーコードであってもよい。
【００３６】
テーブル端末１０２は、レシート１０３に印刷されたコードを読み取ると、レシートを識別する情報をＰＯＳ端末１０１に送信する。ＰＯＳ端末１０１は、受信したレシートを識別する情報に対応する会計処理の会計処理日時の情報を、テーブル端末１０２に送信する。テーブル端末１０２は、受信した会計処理日時の情報に基づいて、店舗内での飲食の可否の判定、すなわちテーブル使用の可否の判定を行う。他の点は、第１実施形態と同様でよい。上述した第２実施形態でも、第１実施形態と同様な効果が得られる。
【００３７】
なお、上記各実施形態では、テーブル使用の可否の判定をテーブル端末１０２において行う例を説明したが、本開示はこれには限定されない。例えば、テーブル端末１０２においてテーブル使用の可否の判定を行うのに代えて、ＰＯＳ端末１０１においてテーブル使用の可否の判定を行ってもよい。その場合、ＰＯＳ端末１０１は、テーブル使用の可否の判定結果をテーブル端末１０２に送信してもよい。
【００３８】
例えば、第２実施形態において、テーブル端末１０２は、レシートを識別する情報とコードを読み取った時刻とを、ＰＯＳ端末１０１に送信する。ＰＯＳ端末１０１は、受信したレシートを識別する情報に対応する会計処理の会計処理日時の時刻と、コードが読み取られた時刻との差に基づいて、テーブル使用の可否を判定する。ＰＯＳ端末１０１は、テーブル使用が可能と判定した場合、その旨をテーブル端末１０２に送信する。テーブル端末１０２は、テーブル使用が可能であるという判定結果を受信した場合、表示器１２５を点灯する。
【００３９】
ＰＯＳ端末１０１は、テーブル使用が可能と判断した場合、会計処理日時の時刻からの経過時間を監視する。ＰＯＳ端末１０１は、所定時間が経過したとき、その旨をテーブル端末１０２に送信する。テーブル端末１０２は、所定時間が経過した旨を受信した場合、点灯していた表示器１２５を消灯する。テーブル使用の可否の判定をＰＯＳ端末１０１において行う場合でも、上記各実施形態で説明したものと同様な効果が得られる。なお、ＰＯＳ端末１０１における座席利用の経過時間の監視は、会計処理日時の時刻を開始時刻とするのではなく、客が座席の利用を開始した時刻としてもよい。すなわち、ＰＯＳ端末１０１における座席利用の経過時間の監視は、読取装置１２１がレシート１０３に印刷された２次元バーコードを読み取った時刻を開始時刻としてもよい。
【００４０】
以上、本開示の実施形態を詳細に説明したが、本開示は、上記した実施形態に限定されるものではなく、本開示の趣旨を逸脱しない範囲で上記実施形態に対して変更や修正を加えたものも、本開示に含まれる。
【００４１】
例えば、上記の実施形態の一部又は全部は、以下の付記のようにも記載され得るが、以下には限られない。
【００４２】
［付記１］
店舗内での飲食と持ち帰りとが選択可能な商品について、客の注文を受け付けて精算を行うＰＯＳ端末と、
店舗内に設置されたテーブルに配置されているテーブル端末とを備え、
前記ＰＯＳ端末は、客が店舗内での飲食を選択した場合、店内での飲食の可否の判定に用いる情報を含むコードをレシートに印刷して出力し、
前記テーブル端末は、前記コードを読み取る読取装置を含み、該読取装置が前記コードを読み取り、
前記ＰＯＳ端末又は前記テーブル端末が、前記コードに含まれる店内での飲食の可否の判定に用いる情報に基づいて、前記テーブルの使用の可否を判定するＰＯＳシステム。
【００４３】
［付記２］
前記テーブル端末は、前記テーブルに対応して配置された表示器を更に含み、前記テーブルの使用が可能であると判定された場合、前記表示器を点灯する付記１に記載のＰＯＳシステム。
【００４４】
［付記３］
前記テーブル端末は、客がテーブルの使用の終了を入力した場合、前記表示器を消灯する付記２に記載のＰＯＳシステム。
【００４５】
［付記４］
前記テーブル端末は、前記表示器の点灯後、所定時間の経過後に前記表示器を消灯する付記２又は３に記載のＰＯＳシステム。
【００４６】
［付記５］
前記コードは、２次元バーコードを用いて作成される付記１から４何れか１つに記載のＰＯＳシステム。
【００４７】
［付記６］
前記ＰＯＳ端末又は前記テーブル端末は、前記コードが読み取られた時刻と、前記レシートの発行時刻との差が、所定時間以内の場合、前記テーブルの使用が可能と判定する付記１から５何れか１つに記載のＰＯＳシステム。
【００４８】
［付記７］
前記ＰＯＳ端末は、客が店舗内での飲食を選択した場合と、客が持ち帰りを選択した場合とで、異なる税率で消費税を計算する付記１から６何れか１つに記載のＰＯＳシステム。
【００４９】
［付記８］
店舗内での飲食と持ち帰りとが選択可能な商品について、客の注文を受け付けて精算を行う電子レジスタと、
客が店舗内での飲食を選択した場合、店内での飲食の可否の判定に用いる情報を含むコードをレシートに印刷して出力するプリンタとを備えるＰＯＳ端末。
【００５０】
［付記９］
前記コードは、２次元バーコードを用いて作成される付記８に記載のＰＯＳ端末。
【００５１】
［付記１０］
前記電子レジスタは、客が店舗内での飲食を選択した場合と、客が持ち帰りを選択した場合とで、異なる税率で消費税を計算する付記８又は９に記載のＰＯＳ端末。
【００５２】
［付記１１］
店舗内に設置されたテーブルに配置され、
店舗内での飲食と持ち帰りとが選択可能な商品について、客が店舗内での飲食を選択した場合に発行された、店内での飲食の可否の判定に用いる情報を含むコードが印刷されたレシートを読み取る読取装置と、
前記読取装置で前記コードが読み取られた場合、前記店内での飲食の可否の判定に用いる情報に基づいてテーブルの使用の可否を判定する制御装置とを備えるテーブル端末。
【００５３】
［付記１２］
前記テーブルに対応して配置された表示器を更に含み、
前記制御装置は、前記テーブルの使用が可能であると判定した場合、前記表示器を点灯する付記１１に記載のテーブル端末。
【００５４】
［付記１３］
前記制御装置は、客がテーブルの使用の終了を入力した場合、前記表示器を消灯する付記１２に記載のテーブル端末。
【００５５】
［付記１４］
店舗内での飲食と持ち帰りとが選択可能な商品について、客の注文を受け付けて精算を行い、
客が店舗内での飲食を選択した場合、店内での飲食の可否の判定に用いる情報を含むコードをレシートに印刷して出力するレシート発行方法。
【００５６】
［付記１５］
店舗内での飲食と持ち帰りとが選択可能な商品について、客が店舗内での飲食を選択した場合に発行された、店内での飲食の可否の判定に用いる情報を含むコードが印刷されたレシートを読み取り、
前記コードが読み取られた場合、前記店内での飲食の可否の判定に用いる情報に基づいてテーブルの使用の可否を判定し、該判定の結果を出力するテーブル使用可能判定方法。
【００５７】
［付記１６］
店舗内での飲食と持ち帰りとが選択可能な商品について、客の注文を受け付けて精算を行い、
客が店舗内での飲食を選択した場合、店内での飲食の可否の判定に用いる情報を含むコードをレシートに印刷して出力する処理をコンピュータに実行させるためのプログラム。
【００５８】
［付記１７］
店舗内での飲食と持ち帰りとが選択可能な商品について、客が店舗内での飲食を選択した場合に発行された、店内での飲食の可否の判定に用いる情報を含むコードが印刷されたレシートを読み取り、
前記コードが読み取られた場合、前記店内での飲食の可否の判定に用いる情報に基づいてテーブルの使用の可否を判定し、該判定の結果を出力する処理をコンピュータに実行させるためのプログラム。
【符号の説明】
【００５９】
１０：ＰＯＳシステム
１１：ＰＯＳ端末
１２：テーブル端末
１３：読取装置
２０：レシート
１００：ＰＯＳシステム
１０１：ＰＯＳ端末
１０２：テーブル端末
１０３：レシート
１１１：電子レジスタ
１１２：プリンタ
１２１：読取装置
１２２：制御装置
１２３：時計
１２４：タイマ
１２５：表示器
１２６：終了ボタン 
【図１】
2020187565.tif 000003
【図２】
2020187565.tif 000004
【図３】
2020187565.tif 000005
【図４】
2020187565.tif 000006
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
店舗内での飲食と持ち帰りとが選択可能な商品について、客の注文を受け付けて精算を行うＰＯＳ端末と、
店舗内に設置されたテーブルに配置されているテーブル端末とを備え、
前記ＰＯＳ端末は、客が店舗内での飲食を選択した場合、レシートの発行時刻を含むコードを前記レシートに印刷して出力し、
前記テーブル端末は、前記コードを読み取る読取装置を含み、該読取装置が前記コードを読み取り、
前記ＰＯＳ端末又は前記テーブル端末が、前記コードが読み取られた時刻と、前記レシートの発行時刻との差が、所定時間以内の場合、前記テーブルの使用が可能と判定するＰＯＳシステム。
【請求項２】
前記テーブル端末は、前記テーブルに対応して配置された表示器を更に含み、前記テーブルの使用が可能であると判定された場合、前記表示器を点灯する請求項１に記載のＰＯＳシステム。
【請求項３】
前記テーブル端末は、客がテーブルの使用の終了を入力した場合、前記表示器を消灯する請求項２に記載のＰＯＳシステム。
【請求項４】
前記コードは、２次元バーコードを用いて作成される請求項１から３何れか１項に記載のＰＯＳシステム。
【請求項５】
前記ＰＯＳ端末は、客が店舗内での飲食を選択した場合と、客が持ち帰りを選択した場合とで、異なる税率で消費税を計算する請求項１から４何れか１項に記載のＰＯＳシステム。
【請求項６】
店舗内での飲食と持ち帰りとが選択可能な商品について、客の注文を受け付けて精算を行う電子レジスタと、
客が店舗内での飲食を選択した場合、レシートの発行時刻を含むコードを前記レシートに印刷して出力するプリンタとを備え、
店舗内に設置されたテーブルに配置されているテーブル端末から、前記レシートの発行時刻と、前記テーブル端末が前記コードを読み取った時刻とを受信し、
前記コードが読み取られた時刻と、前記レシートの発行時刻との差が、所定時間以内の場合、前記テーブルの使用が可能と判定するＰＯＳ端末。
【請求項７】
店舗内に設置されたテーブルに配置され、
店舗内での飲食と持ち帰りとが選択可能な商品について、客が店舗内での飲食を選択した場合に発行された、レシートの発行時刻を含むコードが印刷された前記レシートを読み取る読取装置と、
前記読取装置で前記コードが読み取られた場合、前記コードが読み取られた時刻と、前記レシートの発行時刻との差が、所定時間以内の場合、前記テーブルの使用が可能と判定する制御装置とを備えるテーブル端末。
【請求項８】
店舗内での飲食と持ち帰りとが選択可能な商品について、客が店舗内での飲食を選択した場合に発行された、レシートの発行時刻を含むコードが印刷された前記レシートを読み取り、
前記コードが読み取られた場合、前記コードが読み取られた時刻と、前記レシートの発行時刻との差が、所定時間以内の場合、テーブルの使用が可能と判定し、該判定の結果を出力するテーブル使用可能判定方法。
【請求項９】
店舗内での飲食と持ち帰りとが選択可能な商品について、客が店舗内での飲食を選択した場合に発行された、レシートの発行時刻を含むコードが印刷された前記レシートを読み取り、
前記コードが読み取られた場合、前記コードが読み取られた時刻と、前記レシートの発行時刻との差が、所定時間以内の場合、テーブルの使用が可能と判定し、該判定の結果を出力する処理をコンピュータに実行させるためのプログラム。